(57)【要約】【課題】部品を共用化して製造コストの低減を図ること。【解決手段】建築物の屋外に設置される基準構造部材１０と、基準構造部材１０の取付側面１１ｅに取り付けられる妻樋部材２１とを備え、妻樋部材２１を介して基準構造部材１０にデッキ材Ｄを支持させるようにした屋外構造体用フレーム材であって、基準構造部材１０には、取付側面１１ｅから突出するようにカバーヒレ部１２が設けられ、妻樋部材２１には、上端部がカバーヒレ部１２の下面に対向した状態で基準構造部材１０の取付側面１１ｅに当接される妻樋接合板部２１ｄと、デッキ材Ｄの支持高さに応じて構成された支持ヒレ部２１ｈとが設けられている。【選択図】図１
2018017075.tif 000002
【特許請求の範囲】
【請求項１】
建築物の屋外に設置される基準構造部材と、前記基準構造部材の取付側面に取り付けられる支持片部材とを備え、前記支持片部材を介して前記基準構造部材にデッキ材を支持させるようにした屋外構造体用フレーム材であって、
前記基準構造部材には、前記取付側面から突出するようにカバーヒレ部が設けられ、
前記支持片部材には、上端部が前記カバーヒレ部の下面に対向した状態で前記基準構造部材の取付側面に当接される接合板部と、前記デッキ材の支持高さに応じて構成されたデッキ材支持部とが設けられていることを特徴とする屋外構造体用フレーム材。
【請求項２】
前記基準構造部材は、上壁部、２つの側壁部及び下壁部を有した中空状を成す筒状基部を備え、
前記側壁部の一方に前記取付側面が設けられ、前記取付側面の上方部に前記カバーヒレ部が設けられていることを特徴とする請求項１に記載の屋外構造体用フレーム材。
【請求項３】
前記支持片部材は、互いに異なる前記デッキ材の支持高さに応じて個別に用意され、
前記デッキ材の支持高さに対応した支持片部材を前記基準構造部材に選択的に取り付けて構成したことを特徴とする請求項１に記載の屋外構造体用フレーム材。
【請求項４】
建築物の外壁面から突出するように配設され、デッキ材を支持する２つの妻梁と、前記２つの妻梁の先端部側に配設され、前記デッキ材を支持する前桁とを備えた屋外構造体において、
前記前桁及び前記妻梁は、互いに同一の構成を有した基準構造部材と、互いに別個の構成を有し、前記基準構造部材の取付側面に選択的に取り付けられる支持片部材とを備え、
前記基準構造部材には、前記取付側面から突出するようにカバーヒレ部が設けられ、
前記前桁の支持片部材は、上端部が前記カバーヒレ部の下面に対向した状態で前記基準構造部材の取付側面に当接される第１の接合板部と、前記第１の接合板部から前記デッキ材に向けて突出し、前記デッキ材の前端上部が連結されるとともに、前記デッキ材との間に前樋を構成する前樋構成部と、根太を介して前記デッキ材の前端下部を支持する第１のデッキ材支持部とを備え、
前記妻梁の支持片部材は、上端部が前記カバーヒレ部の下面に対向した状態で前記基準構造部材の取付側面に当接される第２の接合板部と、前記第２の接合板部から前記デッキ材に向けて突出し、前記デッキ材の側端下部を支持するとともに、前記デッキ材との間において前記前樋よりも下方となる部分に妻樋を構成する第２のデッキ材支持部とを備えたことを特徴とする屋外構造体。
【請求項５】
前記カバーヒレ部は、前記取付側面から離隔した部分に下方に向けて突出したフック部を有し、
前記第１の接合板部及び前記第２の接合板部は、上端部が前記フック部に重なる範囲内において前記カバーヒレ部に対向していることを特徴とする請求項４に記載の屋外構造体。
【請求項６】
建築物の外壁面から突出するように配設され、デッキ材を支持する２つの妻梁と、前記２つの妻梁の先端部側に配設され、前記デッキ材を支持する前桁とを備えた屋外構造体において、
前記前桁及び前記妻梁は、互いに同一の構成を有した基準構造部材と、互いに別個の構成を有し、前記基準構造部材の取付側面に選択的に取り付けられる支持片部材とを備え、
前記基準構造部材には、前記取付側面から突出するようにカバーヒレ部が設けられ、前記カバーヒレ部には、突出端部から下方に向けて屈曲したフック部が設けられており、
前記前桁の支持片部材は、上端に設けた第１の係合部が前記基準構造部材の取付側面との間において前記フック部に係合した状態で前記取付側面に当接される第１の接合板部と、前記第１の接合板部から上方に突出し、前記カバーヒレ部よりも上方となる部位において前記前桁の上端部に配置された窓枠が固定される第１の固定ヒレ部と、根太を介して前記デッキ材の前端下部を支持する第１のデッキ材支持部とを備え、
前記妻梁の支持片部材は、上端に設けた第２の係合部が前記基準構造部材の取付側面との間において前記フック部に係合した状態で前記取付側面に当接される第２の接合板部と、前記第２の接合板部から上方に突出し、前記カバーヒレ部よりも上方となる部位において前記前桁の上端部に配置された窓枠が固定される第２の固定ヒレ部と、前記第２の固定ヒレ部の上端部から前記デッキ材に向けて突出し、前記デッキ材の側端下部を支持する第２のデッキ材支持部とを備えたことを特徴とする屋外構造体。
【請求項７】
前記前桁の支持片部材は、前記前桁の第１の接合板部と、前記第１のデッキ材支持部とを別体に成形し、それぞれを前記取付側面に個別に取り付けたことを特徴とする請求項４または請求項６に記載の屋外構造体。
【発明の詳細な説明】
【技術分野】
【０００１】
本発明は、屋外構造体用フレーム材及び屋外構造体に関するものである。
【背景技術】
【０００２】
建築物の外壁面に設けられるバルコニーやテラス囲い等の屋外構造体においては、左右の妻梁と、妻梁の先端部側に設けられた前桁と、妻梁の間に配設されたデッキ材とを備えてデッキ部が構成されている。妻梁及び前桁は、角筒状に構成されたフレーム材である。例えば、バルコニーでは、妻梁の内方側に位置する側面に妻樋部材が取り付けられており、妻樋部材によってデッキ材の側端下部が支持されている。前桁においては、内方側に位置する側面に前樋及び根太受け部材が一体に設けられており、根太を介してデッキ材の前端下部が根太受け部材に支持されている（例えば、特許文献１参照）。
【先行技術文献】
【特許文献】
【０００３】
【特許文献１】特開２００４−２２５３０４号公報
【発明の概要】
【発明が解決しようとする課題】
【０００４】
一般に、地上階に設けられるテラス囲いと、２階等の高所階に設けられるバルコニーとでは、妻梁や前桁等のフレーム材に対するデッキ材の支持高さが互いに異なる場合が多い。また、バルコニーであっても、種類によってはデッキ材を支持する高さが同一とならない場合もある。このため、前桁にあっては、互いに異なる位置に根太受け部材を有したものを複数種類用意する必要があり、製造コスト低減を妨げる一因となる。
【０００５】
本発明は、上記実情に鑑みて、部品を共用化して製造コストの低減を図ることのできる屋外構造体用フレーム材及び屋外構造体を提供することを目的とする。
【課題を解決するための手段】
【０００６】
上記目的を達成するため、本発明に係る屋外構造体用フレーム材は、建築物の屋外に設置される基準構造部材と、前記基準構造部材の取付側面に取り付けられる支持片部材とを備え、前記支持片部材を介して前記基準構造部材にデッキ材を支持させるようにした屋外構造体用フレーム材であって、前記基準構造部材には、前記取付側面から突出するようにカバーヒレ部が設けられ、前記支持片部材には、上端部が前記カバーヒレ部の下面に対向した状態で前記基準構造部材の取付側面に当接される接合板部と、前記デッキ材の支持高さに応じて構成されたデッキ材支持部とが設けられていることを特徴とする。
【０００７】
この発明によれば、基準構造部材に支持片部材を取り付けるようにしているため、基準構造部材の共用化を図ることが可能となる。
【０００８】
また本発明は、上述した屋外構造体用フレーム材において、前記基準構造部材は、上壁部、２つの側壁部及び下壁部を有した中空状を成す筒状基部を備え、前記側壁部の一方に前記取付側面が設けられ、前記取付側面の上方部に前記カバーヒレ部が設けられていることを特徴とする。
【０００９】
この発明によれば、中空状を成す筒状基部を備えて基準構造部材を構成しているため、軽量化を図る上で有利となる。
【００１０】
また本発明は、上述した屋外構造体用フレーム材において、前記支持片部材は、互いに異なる前記デッキ材の支持高さに応じて個別に用意され、前記デッキ材の支持高さに対応した支持片部材を前記基準構造部材に選択的に取り付けて構成したことを特徴とする。
【００１１】
この発明によれば、基準構造部材に対して選択的に支持片部材を取り付けることにより、デッキ材の支持高さが異なる複数種類のフレーム材を構成することができる。
【００１２】
また本発明に係る屋外構造体は、建築物の外壁面から突出するように配設され、デッキ材を支持する２つの妻梁と、前記２つの妻梁の先端部側に配設され、前記デッキ材を支持する前桁とを備えた屋外構造体において、前記前桁及び前記妻梁は、互いに同一の構成を有した基準構造部材と、互いに別個の構成を有し、前記基準構造部材の取付側面に選択的に取り付けられる支持片部材とを備え、前記基準構造部材には、前記取付側面から突出するようにカバーヒレ部が設けられ、前記前桁の支持片部材は、上端部が前記カバーヒレ部の下面に対向した状態で前記基準構造部材の取付側面に当接される第１の接合板部と、前記第１の接合板部から前記デッキ材に向けて突出し、前記デッキ材の前端上部が連結されるとともに、前記デッキ材との間に前樋を構成する前樋構成部と、根太を介して前記デッキ材の前端下部を支持する第１のデッキ材支持部とを備え、前記妻梁の支持片部材は、上端部が前記カバーヒレ部の下面に対向した状態で前記基準構造部材の取付側面に当接される第２の接合板部と、前記第２の接合板部から前記デッキ材に向けて突出し、前記デッキ材の側端下部を支持するとともに、前記デッキ材との間において前記前樋よりも下方となる部分に妻樋を構成する第２のデッキ材支持部とを備えたことを特徴とする。
【００１３】
この発明によれば、互いに共通の基準構造部材を適用して妻梁及び前桁を構成することができ、部品の共用化を図ることが可能となる。しかも、基準構造部材にカバーヒレ部が設けてあるため、支持片部材との接合部から雨水等の水が浸入する事態を招来するおそれがない。
【００１４】
また本発明は、上述した屋外構造体において、前記カバーヒレ部は、前記取付側面から離隔した部分に下方に向けて突出したフック部を有し、前記第１の接合板部及び前記第２の接合板部は、上端部が前記フック部に重なる範囲内において前記カバーヒレ部に対向していることを特徴とする。
【００１５】
この発明によれば、基準構造部材の取付側面とフック部との間に第１接合板部の上端部が挿入された状態となり、互いの接合部からの雨水等の水の浸入をより確実に防止することが可能となる。
【００１６】
また本発明に係る屋外構造体は、建築物の外壁面から突出するように配設され、デッキ材を支持する２つの妻梁と、前記２つの妻梁の先端部側に配設され、前記デッキ材を支持する前桁とを備えた屋外構造体において、前記前桁及び前記妻梁は、互いに同一の構成を有した基準構造部材と、互いに別個の構成を有し、前記基準構造部材の取付側面に選択的に取り付けられる支持片部材とを備え、前記基準構造部材には、前記取付側面から突出するようにカバーヒレ部が設けられ、前記カバーヒレ部には、突出端部から下方に向けて屈曲したフック部が設けられており、前記前桁の支持片部材は、上端に設けた第１の係合部が前記基準構造部材の取付側面との間において前記フック部に係合した状態で前記取付側面に当接される第１の接合板部と、前記第１の接合板部から上方に突出し、前記カバーヒレ部よりも上方となる部位において前記前桁の上端部に配置された窓枠が固定される第１の固定ヒレ部と、根太を介して前記デッキ材の前端下部を支持する第１のデッキ材支持部とを備え、前記妻梁の支持片部材は、上端に設けた第２の係合部が前記基準構造部材の取付側面との間において前記フック部に係合した状態で前記取付側面に当接される第２の接合板部と、前記第２の接合板部から上方に突出し、前記カバーヒレ部よりも上方となる部位において前記前桁の上端部に配置された窓枠が固定される第２の固定ヒレ部と、前記第２の固定ヒレ部の上端部から前記デッキ材に向けて突出し、前記デッキ材の側端下部を支持する第２のデッキ材支持部とを備えたことを特徴とする。
【００１７】
この発明によれば、互いに共通の基準構造部材を適用して妻梁及び前桁を構成することができ、部品の共用化を図ることが可能となる。しかも、支持片部材の上端に設けた第１の係合部及び第２の係合部がカバーヒレ部のフック部に係合した状態となるため、室外側から窓枠に対して外力が加えられた場合にも、第１の接合板部や第２の接合板部が取付側面から離隔するような事態が招来することがない。
【００１８】
また本発明は、上述した屋外構造体において、前記前桁の支持片部材は、前記前桁の第１の接合板部と、前記第１のデッキ材支持部とを別体に成形し、それぞれを前記取付側面に個別に取り付けたことを特徴とする。
【００１９】
この発明によれば、第１の接合板部と第１のデッキ材支持部とが別体に成形してあるため、互いに板厚の異なるデッキ材を支持することが可能となる。
【発明の効果】
【００２０】
本発明によれば、基準構造部材に支持片部材を取り付けるようにしているため、基準構造部材の共用化を図ることが可能となる。しかも、基準構造部材にカバーヒレ部が設けてあるため、支持片部材との接合部から雨水等の水が浸入する事態を招来するおそれがなく、地表に水が落下する事態を防止することができる。
【図面の簡単な説明】
【００２１】
【図１】図１は、本発明の実施の形態である屋外構造体用フレーム材を示すもので、（ａ）は基準構造部材の断面図、（ｂ）は支持片部材である妻樋部材の断面図、（ｃ）は支持片部材である前樋部材の断面図、（ｄ）は支持片部材である妻梁アタッチメントの断面図、（ｅ）は支持片部材である前桁アタッチメントの断面図、（ｆ）は支持片部材である根太受け部材の断面図である。
【図２】図２は、図１に示した基準構造部材及び妻樋部材の組み合わせによって構成したバルコニーのデッキ部に適用される妻梁の分解断面図である。
【図３】図３は、図１に示した基準構造部材及び前樋部材の組み合わせによって構成したバルコニーのデッキ部に適用される前桁の分解断面図である。
【図４】図４は、図２に示した妻梁及び図３に示した前桁を適用してデッキ部を構成したバルコニーの側面図である。
【図５】図５は、図４に示したバルコニーのデッキ部を示す要部断面平面図である。
【図６】図６は、図４に示したバルコニーのデッキ部において前桁と妻梁との接合部分を示す断面図である。
【図７】図７は、図４に示したバルコニーのデッキ部において前桁と根太との接合部分を示す断面図である。
【図８】図８は、図４に示したバルコニーのデッキ部において妻梁とデッキ材との接合部分を示す拡大断面図である。
【図９】図９は、図４に示したバルコニーのデッキ部において妻梁と前樋部材との接合部分を示す拡大断面図である。
【図１０】図１０は、図４に示したバルコニーのデッキ部において前桁と妻樋部材との接合部分を示す拡大断面図である。
【図１１】図１１は、図４に示したバルコニーのデッキ部において根太部分を示す拡大断面図である。
【図１２】図１２は、図４に示したバルコニーのデッキ部において前桁と根太との接合部分を示す拡大断面図である。
【図１３】図１３は、図１に示した基準構造部材及び妻梁アタッチメントの組み合せによって構成したテラス囲いのデッキ部に適用される妻梁の分解断面図である。
【図１４】図１４は、図１に示した基準構造部材及び前桁アタッチメントの組み合せによって構成したテラス囲いのデッキ部に適用される前方の分解断面図である。
【図１５】図１５は、図１３に示した妻梁及び図１４に示した前桁を適用してデッキ部を構成したテラス囲いの側面図である。
【図１６】図１６は、図１５に示したテラス囲いのデッキ部において前桁と妻梁との接合部分を示す断面図である。
【図１７】図１７は、図１５に示したテラス囲いのデッキ部において前桁と根太との接合部分を示す断面図である。
【図１８】図１８は、図１５に示したテラス囲いのデッキ部において妻梁とデッキ材との接合部分を示す断面図である。
【発明を実施するための形態】
【００２２】
以下、添付図面を参照しながら本発明に係る屋外構造体用フレーム材及び屋外構造体の好適な実施の形態について詳細に説明する。
図１は、本発明の実施の形態である屋外構造体用フレーム材を示したものである。屋外構造体用フレーム材は、バルコニーやテラス囲い等のように建築物の外壁面から突出するように設けられる屋外構造体のデッキ部を構成するためのものである。本実施の形態では、互いに共通の構成を有した基準構造部材１０と、互いに異なる構成を有した個別の支持片部材２０とによって構成した４種類の屋外構造体用フレーム材を例示するようにしている。具体的には、図４に示すバルコニー１Ａのデッキ部２Ａを構成するための妻梁３Ａ及び前桁４Ａと、図１５に示すテラス囲い１Ｂのデッキ部２Ｂを構成するための妻梁３Ｂ及び前桁４Ｂである。
【００２３】
基準構造部材１０は、アルミニウム合金等の金属によって成形した押し出し形材であり、長手方向の全長にわたってほぼ一様な断面形状を有している。本実施の形態では、図１の（ａ）に示すように、筒状基部１１及びカバーヒレ部１２を一体に成形した基準構造部材１０を適用している。筒状基部１１は、上壁部１１ａ、２つの側壁部１１ｂ，１１ｃ及び下壁部１１ｄを有した中空の略角筒状を成すもので、一方の側壁部１１ｂ，１１ｃの外表面に取付側面１１ｅが設定してある。カバーヒレ部１２は、取付側面１１ｅの上端となる部位からほぼ水平に突出した部分であり、基準構造部材１０の全長にわたって設けてある。カバーヒレ部１２の突出端部には、下方に向けて突出するようにフック部１２ａが設けてある。図からも明らかなように、カバーヒレ部１２は、上面が上壁部１１ａの上面と同一の平面上に位置するように構成してある。
【００２４】
支持片部材２０としては、図１の（ｂ）に示すように、バルコニー１Ａの妻梁３Ａを構成するための妻樋部材２１、図１の（ｃ）に示すように、バルコニー１Ａの前桁４Ａを構成するための前樋部材２２、図１の（ｄ）に示すように、テラス囲い１Ｂの妻梁３Ｂを構成するための妻梁アタッチメント２３、図１の（ｅ）に示すように、テラス囲い１Ｂの前桁４Ｂを構成するための前桁アタッチメント２４及び図１の（ｆ）に示すように、バルコニー１Ａの前桁４Ａ及びテラス囲い１Ｂの前桁４Ｂを構成する場合に適用する根太受け部材２５が用意してある。妻樋部材２１、前樋部材２２、妻梁アタッチメント２３、前桁アタッチメント２４及び根太受け部材２５は、いずれもアルミニウム合金等の金属によって成形した押し出し形材である。
【００２５】
妻樋部材２１は、図１の（ｂ）に示すように、一対の妻樋側板部２１ａ，２１ｂと、これら一対の妻樋側板部２１ａ，２１ｂの下端部の間を連結する妻樋底板部２１ｃと、一方の妻樋側板部（以下、区別する場合に外妻樋側板部２１ａという）の上端部から上方に突出するように延在した妻樋接合板部（第２の接合板部）２１ｄとを一体に成形したものである。一対の妻樋側板部２１ａ，２１ｂは、それぞれ上下に沿ってほぼ平行となるように延在している。外妻樋側板部２１ａの上端部は、他方の妻樋側板部（以下、区別する場合に内妻樋側板部２１ｂという）から離隔する方向に向けてわずかに屈曲している。妻樋接合板部２１ｄは、外妻樋側板部２１ａの屈曲端部から上方に向けて延在している。妻樋底板部２１ｃは、ほぼ水平となるように延在している。外妻樋側板部２１ａと妻樋底板部２１ｃとの出隅部には、突条部２１ｅが設けてある。突条部２１ｅは、外妻樋側板部２１ａの下端部から側方に突出した部分であり、妻樋部材２１の長手に沿った全長に設けてある。この突条部２１ｅは、妻樋接合板部２１ｄと外妻樋側板部２１ａとの段差に対応する高さを有するように構成してある。図からも明らかなように、突条部２１ｅの下面は、内妻樋側板部２１ｂに近接するに従って漸次下方となるように傾斜している。
【００２６】
妻樋接合板部２１ｄの上方となる部位には上方係止片２１ｆが設けてあり、外妻樋側板部２１ａの上縁部には下方係止片２１ｇが設けてあり、内妻樋側板部２１ｂには支持ヒレ部（第２のデッキ材支持部）２１ｈが設けてある。上方係止片２１ｆは、妻樋接合板部２１ｄにおいて内妻樋側板部２１ｂに臨む表面からほぼ水平に突出した後、下方に向けて漸次傾斜するように延在した弾性を有する舌片状部分である。下方係止片２１ｇは、外妻樋側板部２１ａにおいて内妻樋側板部２１ｂに臨む表面からほぼ水平に突出した後、上方及び下方のそれぞれに向けて突出している。支持ヒレ部２１ｈは、内妻樋側板部２１ｂの上端部において外妻樋側板部２１ａに臨む表面からほぼ水平に突出した後、上方に向けて屈曲したものである。
【００２７】
前樋部材２２は、図１の（ｃ）に示すように、上下に沿って延在する一対の前樋側板部（前樋構成部）２２ａ，２２ｂと、これら前樋側板部２２ａ，２２ｂの下端部の間を連結する前樋底板部（前樋構成部）２２ｃと、一方の前樋側板部（以下、区別する場合に外前樋側板部２２ａという）から上方に突出するように延在した傾斜板部２２ｄ及び前樋接合板部（第１の接合板部）２２ｅとを一体に成形したものである。傾斜板部２２ｄは、上方に向けて漸次他方の前樋側板部（以下、区別する場合に内前樋側板部２２ｂという）から離隔するように傾斜した部分である。前樋接合板部２２ｅは、傾斜板部２２ｄの上端部から外前樋側板部２２ａに沿って上方に突出し、突出端部が内前樋側板部２２ｂに近接する方向に向けてほぼ直角に屈曲している。前樋接合板部２２ｅの屈曲部２２ｆは、基準構造部材１０の取付側面１１ｅとフック部１２ａとの隙間に嵌合することのできる寸法に形成してある。前樋底板部２２ｃは、内前樋側板部２２ｂを超えてさらに延在しており、延在端部に補助前樋側板部２２ｇを有している。補助前樋側板部２２ｇは、上下に沿って延在するもので、内前樋側板部２２ｂよりも短い長さに形成してある。前樋底板部２２ｃにおいて外前樋側板部２２ａの下端と連結する部分は、漸次上方となるように傾斜している。本実施の形態で適用する前樋部材２２は、前樋底板部２２ｃの下面から前樋接合板部２２ｅの上端までの高さ寸法ｈ１が、妻樋部材２１において内妻樋側板部２１ｂの上面から妻樋接合板部２１ｄの上端までの距離ｈ２と等しく構成されたものである。
【００２８】
妻梁アタッチメント２３は、図１の（ｄ）に示すように、上下に沿って延在した後、一方に向けてほぼ直角に屈曲した妻梁接合板部（第２の接合板部）２３ａと、妻梁接合板部２３ａの屈曲端部から上方に向けて延在した妻梁固定ヒレ板部（第２の固定ヒレ部）２３ｂと、妻梁固定ヒレ板部２３ｂの上端部からさらに一方に向けてほぼ直角に屈曲した妻梁デッキ支持板部（第２のデッキ材支持部）２３ｃとを一体に成形したものである。妻梁接合板部２３ａにおいて直角に屈曲した部分には、妻梁係合板部（第２の係合部）２３ｄが設けてある。妻梁係合板部２３ｄは、妻梁接合板部２３ａを基準構造部材１０に当接させた場合にカバーヒレ部１２のフック部１２ａにおいて取付側面１１ｅに対向するフック面に係合するように構成してある。妻梁固定ヒレ板部２３ｂの上端部において他方側の面には、ほぼ水平となるように延在した窓枠スペーサ板部２３ｅが設けてある。窓枠スペーサ板部２３ｅの突出寸法は、妻梁接合板部２３ａの上端部に設けた屈曲部の幅よりもわずかに小さくなるように設定してある。
【００２９】
前桁アタッチメント２４は、図１の（ｅ）に示すように、上下に沿って延在した後、一方に向けてほぼ直角に屈曲した前桁接合板部（第１の接合板部）２４ａと、前桁接合板部２４ａの屈曲端部から上方に向けて延在した前桁固定ヒレ板部（第１の固定ヒレ部）２４ｂとを一体に成形したものである。前桁接合板部２４ａにおいて直角に屈曲した部分には、前桁係合板部（第１の係合部）２４ｄが設けてある。前桁係合板部２４ｄは、前桁接合板部２４ａを基準構造部材１０に当接させた場合にカバーヒレ部１２のフック部１２ａにおいて取付側面１１ｅに対向する面に係合するように構成してある。前桁固定ヒレ板部２４ｂの上端部において他方側の面には、ほぼ水平となるように延在した窓枠スペーサ板部２４ｅが設けてある。窓枠スペーサ板部２４ｅの突出寸法は、前桁接合板部２４ａの上端部に設けた屈曲部の幅よりもわずかに小さくなるように設定してある。
【００３０】
根太受け部材２５は、図１の（ｆ）に示すように、上下に沿って延在した根太接合板部２５ａと、根太接合板部２５ａの下端部から一方に向けてほぼ水平に延在した根太支持部（第１のデッキ材支持部）２５ｂとを一体に成形したものである。根太支持部２５ｂの延在端部には、ネジ受け部２５ｃが設けてある。ネジ受け部２５ｃは、上方に向けて開口する溝状部分である。このネジ受け部２５ｃは、内部の幅よりも開口幅が狭く構成されたアリ溝状を成している。
【００３１】
上述した基準構造部材１０及び支持片部材２０によってバルコニー１Ａのデッキ部２Ａを構成するには、基準構造部材１０と妻樋部材２１とによってバルコニー１Ａの妻梁３Ａを構成し、かつ基準構造部材１０と前樋部材２２及び根太受け部材２５とによってバルコニー１Ａの前桁４Ａを構成する。
【００３２】
具体的には、図２及び図９に示すように、妻樋接合板部２１ｄを基準構造部材１０の取付側面１１ｅに当接させた状態で妻樋接合板部２１ｄを介して取付側面１１ｅにネジ部材２１ｊを螺合し、妻樋部材２１を基準構造部材１０の取付側面１１ｅに取り付けることによってバルコニー１Ａの妻梁３Ａを構成する。このとき、妻樋部材２１は、妻樋接合板部２１ｄの上端部が、基準構造部材１０の取付側面１１ｅとカバーヒレ部１２のフック部１２ａとの間においてカバーヒレ部１２の下面に当接するように配置する。これにより、基準構造部材１０と妻樋部材２１との間の隙間は、上部がカバーヒレ部１２によって覆われた状態にあり、外部に露出しない。また、外妻樋側板部２１ａは、妻樋底板部２１ｃとの出隅部に設けた突条部２１ｅを介して基準構造部材１０の取付側面１１ｅに当接することになる。妻樋部材２１の両端部は、予め妻樋キャップ部材２１ｋによって閉塞しておく。
【００３３】
上記のように構成した妻梁３Ａは、互いに妻樋部材２１が対向するように左右に配置し、図６に示すように、それぞれの基端部を躯体Ｂに取り付けた縦枠ＢＫに連結させるとともに、それぞれの先端部を柱ＰＡの側面に連結させる。
【００３４】
バルコニー１Ａの前桁４Ａの場合には、図３に示すように、まず、基準構造部材１０の取付側面１１ｅに根太受け部材２５を取り付ける。具体的には、基準構造部材１０の取付側面１１ｅに根太接合板部２５ａを介してネジ部材２５ｄを螺合することにより、取付側面１１ｅの下方部に根太受け部材２５のみを取り付けた状態とする。
【００３５】
この状態から、前桁４Ａを構成する基準構造部材１０の両端部をそれぞれ柱ＰＡに連結させる。このとき、前桁４Ａは、取付側面１１ｅが内側となるように配置する。縦枠ＢＫと妻梁３Ａとの間、妻梁３Ａと柱ＰＡとの間及び前桁４Ａと柱ＰＡとの間を連結するには、例えば、図５〜図１０に示すように、基準構造部材１０の筒内部にそれぞれＬ字状を成す連結ブラケット１０ＢＫを配設し、連結ブラケット１０ＢＫと妻梁３Ａ、前桁４Ａ及び柱ＰＡとの間に連結ネジ１０Ｓを螺合すれば良い。図中の符号１０ＬＳは、連結ブラケット１０ＢＫ及び縦枠ＢＫを介して躯体Ｂに螺合した取付ネジである。
【００３６】
その後、図７に示すように、躯体Ｂにおいて縦枠ＢＫの相互間に取り付けた根太掛けＮＧと前桁４Ａの根太受け部材２５との間に複数の根太ＮＤを固定する。このとき適用する根太ＮＤは、根太受け部材２５の根太支持部２５ｂを搭載した場合に上面ＮＤａの位置が妻樋部材２１における内妻樋側板部２１ｂの上面と一致するものを適用する。根太ＮＤを固定する固定ネジＮＤＳは、根太受け部材２５のネジ受け部２５ｃに予め頭部Ｓａを嵌合させておけば取付作業を容易化できる。根太掛けＮＧとしては、根太受け部材２５と同じものを適用している。
【００３７】
この状態から図９〜図１２に示すように、前樋接合板部２２ｅの上端部を前桁４Ａを構成する基準構造部材１０のフック部１２ａに挿入し、その後、前樋底板部２２ｃが水平となるように姿勢を整えれば、前樋底板部２２ｃの下面が妻樋部材２１における内妻樋側板部２１ｂの上面及び根太ＮＤの上面ＮＤａにそれぞれ当接することになる。従って、この状態から内前樋側板部２２ｂを超えて延在する前樋底板部２２ｃを介して妻樋部材２１の支持ヒレ部２１ｈ及び根太ＮＤにネジ部材２２ｈを螺合すれば、前樋接合板部２２ｅを取付側面１１ｅに当接した状態で前樋部材２２が前桁４Ａの基準構造部材１０に取り付けられることになる。これにより、基準構造部材１０と前樋部材２２との間の隙間は、上部がカバーヒレ部１２によって覆われた状態にあり、外部に露出しない。
【００３８】
上述したように、根太ＮＤの上面ＮＤａ及び妻梁３Ａに取り付けた妻樋部材２１の内妻樋側板部２１ｂの上面は同一の高さに配置されたものである。従って、これら根太ＮＤ及び内妻樋側板部２１ｂの上面にデッキ材Ｄを支持させれば、図６及び図７に示すように、バルコニー１Ａのデッキ部２Ａを構成することが可能となる。すなわち、デッキ材Ｄの両側縁部がそれぞれ妻樋部材２１を介して妻梁３Ａに支持され、かつデッキ材Ｄの前端縁部が根太ＮＤ及び根太受け部材２５を介して前桁４Ａに支持されたバルコニー１Ａのデッキ部２Ａが構成される。
【００３９】
このバルコニー１Ａのデッキ部２Ａによれば、基準構造部材１０の取付側面１１ｅにカバーヒレ部１２を設け、妻樋部材２１の妻樋接合板部２１ｄ及び前樋部材２２の前樋接合板部２２ｅがカバーヒレ部１２の下面に対向する状態で基準構造部材１０に取り付けるようにしている。従って、基準構造部材１０と妻樋部材２１との間の隙間や基準構造部材１０と前樋部材２２との間の隙間は、カバーヒレ部１２によって上方が覆われることになる。これにより、これらの隙間に雨水等の水が浸入するおそれはなく、デッキ部２Ａの下面から直接水が地表に落下する事態を招来することがない。しかも、妻梁３Ａと前桁４Ａとで基準構造部材１０を共用しているため、製造コストの低減を図ることが可能となる。なお、図８中の符号Ｃは、上方係止片２１ｆ及び下方係止片２１ｇを介して妻樋部材２１に保持させた妻樋カバー部材である。
【００４０】
一方、上述した基準構造部材１０及び支持片部材２０によってテラス囲い１Ｂのデッキ部２Ｂを構成するには、基準構造部材１０と妻梁アタッチメント２３とによってテラス囲い１Ｂの妻梁３Ｂを構成し、かつ基準構造部材１０と前桁アタッチメント２４及び根太受け部材２５とによってテラス囲い１Ｂの前桁４Ｂを構成する。
【００４１】
具体的には、図１３及び図１８に示すように、妻梁接合板部２３ａを基準構造部材１０の取付側面１１ｅに当接させた状態で妻梁接合板部２３ａを介して取付側面１１ｅにネジ部材２３ｆを螺合し、妻梁アタッチメント２３を基準構造部材１０の取付側面１１ｅに取り付けることによってテラス囲い１Ｂの妻梁３Ｂを構成する。このとき、妻梁アタッチメント２３は、妻梁接合板部２３ａの上端部に設けた妻梁係合板部２３ｄが、基準構造部材１０の取付側面１１ｅとカバーヒレ部１２のフック部１２ａとの間においてフック部１２ａのフック面に係合するように配置する。
【００４２】
上記のように構成した妻梁３Ｂは、互いに妻梁アタッチメント２３が対向するように左右に配置し、図１６に示すように、それぞれの基端部を躯体Ｂに取り付けた縦枠ＢＫに保持させるとともに、それぞれの先端部を柱ＰＢの側面に連結させる。
【００４３】
一方、前桁４Ｂの場合には、図１４に示すように、前桁接合板部２４ａを基準構造部材１０の取付側面１１ｅに当接させた状態で前桁接合板部２４ａを介して取付側面１１ｅにネジ部材２４ｆを螺合し、前桁アタッチメント２４を基準構造部材１０の取付側面１１ｅに取り付ける。さらに、基準構造部材１０の取付側面１１ｅに根太接合板部２５ａを介してネジ部材２５ｄを螺合することにより、取付側面１１ｅの上方部において前桁アタッチメント２４の直下となる部位に根太受け部材２５を取り付け、テラス囲い１Ｂの前桁４Ｂを構成する。このとき、前桁アタッチメント２４は、前桁接合板部２４ａの上端部に設けた前桁係合板部２４ｄが、基準構造部材１０の取付側面１１ｅとカバーヒレ部１２のフック部１２ａとの間においてフック部１２ａのフック面に係合するように配置する。
【００４４】
この状態から、前桁４Ｂを構成する基準構造部材１０の両端部をそれぞれ柱ＰＢの側面に連結する。このとき、前桁４Ｂは、取付側面１１ｅが内側となるように配置する。縦枠ＢＫと妻梁３Ｂとの間、妻梁３Ｂと柱ＰＢとの間及び前桁４Ｂと柱ＰＢとの間を連結するには、バルコニー１Ａの時と同様、基準構造部材１０の筒内部にそれぞれＬ字状を成す連結ブラケット１０ＢＫを配設し、連結ブラケット１０ＢＫと妻梁３Ｂ、前桁４ＢＡ及び柱ＰＢとの間に連結ネジ１０Ｓを螺合すれば良い。
【００４５】
その後、図１７に示すように、躯体Ｂにおいて縦枠ＢＫの相互間に取り付けた根太掛けＮＧと前桁４Ｂの根太受け部材２５との間に複数の根太ＮＤを固定する。このとき適用する根太ＮＤは、根太受け部材２５の根太支持部２５ｂに搭載した場合に上面ＮＤａの位置が妻梁アタッチメント２３における妻梁デッキ支持板部２３ｃの上面と一致するものを適用する。
【００４６】
この状態から、妻梁３Ｂ及び前桁４Ｂの上部に窓枠Ｗを搭載して妻梁３Ｂ及び前桁４Ｂに固定する。具体的には、図１６〜図１８に示すように、妻梁アタッチメント２３の妻梁固定ヒレ板部２３ｂを介して窓枠Ｗの見付けヒレ部Ｗ１に固定ネジＷ２を螺合し、かつ前桁アタッチメント２４の前桁固定ヒレ板部２４ｂを介して窓枠Ｗの見付けヒレ部Ｗ１に固定ネジＷ３を螺合すれば良い。
【００４７】
上述したように、根太ＮＤの上面ＮＤａ及び妻梁３Ｂに取り付けた妻梁アタッチメント２３の妻梁デッキ支持板部２３ｃの上面は同一の高さに配置されたものである。従って、窓枠Ｗを固定した後においては、根太ＮＤの上面ＮＤａ及び妻梁デッキ支持板部２３ｃの上面にデッキ材Ｄを支持させれば、図１６及び図１７に示すように、テラス囲い１Ｂのデッキ部２Ｂを構成することが可能となる。すなわち、デッキ材Ｄの両側縁部がそれぞれ妻梁アタッチメント２３を介して妻梁３Ｂに支持され、かつデッキ材Ｄの前端縁部が根太ＮＤ及び根太受け部材２５を介して前桁４Ｂに支持されたテラス囲い１Ｂのデッキ部２Ｂが構成される。図からも明らかなように、テラス囲い１Ｂのデッキ部２Ｂは、妻梁３Ｂや前桁４Ｂよりも高い位置にデッキ材Ｄが設けられることになる。
【００４８】
このテラス囲い１Ｂのデッキ部２Ｂによれば、基準構造部材１０の取付側面１１ｅにカバーヒレ部１２を設け、妻梁アタッチメント２３の妻梁係合板部２３ｄ及び前桁アタッチメント２４の前桁係合板部２４ｄがカバーヒレ部１２のフック部１２ａに係合した状態で基準構造部材１０に取り付けるようにしている。従って、窓枠Ｗに対して外部から風圧等の力が加えられた場合にも、妻梁アタッチメント２３の妻梁接合板部２３ａや前桁アタッチメント２４の前桁接合板部２４ａが基準構造部材１０の取付側面１１ｅから離隔する事態が招来されることはなく、テラス囲い１Ｂの剛性を向上させることができる。しかも、妻梁３Ｂと前桁４Ｂとで基準構造部材１０を共用しているため、さらにはバルコニー１Ａの妻梁３Ａと前桁４Ａとも基準構造部材１０を共用しているため、製造コストを低減することが可能である。
【００４９】
なお、上述した実施の形態では、基準構造部材１０として略角筒状の筒状基部１１を有したものを例示しているが、基準構造部材の形状は実施の形態のものに限らない。また、支持片部材２０として妻樋部材２１、前樋部材２２、妻梁アタッチメント２３、前桁アタッチメント２４及び根太受け部材２５を例示しているが、その他の形状の支持片部材を適用しても構わない。例えば、前樋部材２２と根太受け部材２５とを一体に成形したり、前桁アタッチメント２４と根太受け部材２５とを一体に成形することも可能である。さらに、屋外構造体としてバルコニー１Ａ及びテラス囲い１Ｂを例示しているが、その他のものであっても良い。またさらに、柱ＰＡ（ＰＢ）を介して妻梁３Ａ（３Ｂ）と前桁４Ａ（４Ｂ）との間を連結するようにしているが、直接妻梁と前桁とを連結してバルコニーやテラス囲いのデッキ部を構成しても良い。
【符号の説明】
【００５０】
１Ａ  バルコニー、１Ｂ  テラス囲い、３Ａ，３Ｂ  妻梁、４Ａ，４Ｂ  前桁、１０  基準構造部材、１１  筒状基部、１１ａ  上壁部、１１ｂ，１１ｃ  側壁部、１１ｄ  下壁部、１１ｅ  取付側面、１２  カバーヒレ部、１２ａ  フック部、２０  支持片部材、２１  妻樋部材、２１ａ  外妻樋側板部、２１ｂ  内妻樋側板部、２１ｃ  妻樋底板部、２１ｄ  妻樋接合板部、２１ｈ  支持ヒレ部、２１ｊ  ネジ部材、２２  前樋部材、２２ａ  外前樋側板部、２２ｂ  内前樋側板部、２２ｃ  前樋底板部、２２ｅ  前樋接合板部、２２ｆ  屈曲部、２２ｈ  ネジ部材、２３  妻梁アタッチメント、２３ａ  妻梁接合板部、２３ｂ  妻梁固定ヒレ板部、２３ｃ  妻梁デッキ支持板部、２３ｄ  妻梁係合板部、２３ｆ  ネジ部材、２４  前桁アタッチメント、２４ａ  前桁接合板部、２４ｂ  前桁固定ヒレ板部、２４ｄ  前桁係合板部、２４ｆ  ネジ部材、２５  根太受け部材、２５ａ  根太接合板部、２５ｂ  根太支持部、２５ｃ  ネジ受け部、２５ｄ  ネジ部材、Ｄ  デッキ材、ＮＤ  根太、ＮＤＳ  固定ネジ、Ｗ  窓枠
【図１】
2018017075.tif 000003
【図２】
2018017075.tif 000004
【図３】
2018017075.tif 000005
【図４】
2018017075.tif 000006
【図５】
2018017075.tif 000007
【図６】
2018017075.tif 000008
【図７】
2018017075.tif 000009
【図８】
2018017075.tif 000010
【図９】
2018017075.tif 000011
【図１０】
2018017075.tif 000012
【図１１】
2018017075.tif 000013
【図１２】
2018017075.tif 000014
【図１３】
2018017075.tif 000015
【図１４】
2018017075.tif 000016
【図１５】
2018017075.tif 000017
【図１６】
2018017075.tif 000018
【図１７】
2018017075.tif 000019
【図１８】
2018017075.tif 000020